(57)【要約】【課題】 接触スイッチ制御式マイナスイオン冷風／熱風ドライヤーを提供する。【解決手段】  相互に対応する２個の半中空ケース体１１，１１‘により組成する外ケース１と前ケース２を結合して外殻を構成する。前後に空気噴出口ガード２１と空気吸入口ガード１２１を設け、該外ケース内には回路制御装置３、電源スイッチ３１、接触スイッチ制御装置３２、発熱装置４、モーター５、ファン、マイナスイオン発生装置６を設置する。該電源スイッチを入れると該回路制御装置により該モーターは該ファンを駆動し、空気を該空気吸入口ガードより該外ケース内に導入し、該接触スイッチ制御装置の制御により該モーター及び該発熱装置は出力パワーを調整、変更し、該発熱装置と該マイナスイオン発生装置によりマイナスイオンを帯びた熱風を形成して、該空気噴出口ガードより熱風を吹き出す。【選択図】  図１
0003131246.tif 000002
【実用新案登録請求の範囲】
【請求項１】
相互に対応する２個の半割中空ケース体からなる外ケースと前ケースを結合して外殻を構成し、前後に空気噴出口ガードと空気吸入口ガードを設置し、該外ケース内には回路制御装置、発熱装置、モーター、ファンとマイナスイオン発生装置を設置し、該回路制御装置の制御により該モーターはファンを駆動して回転させ、空気を該空気吸入口ガードより該外ケース内に導入し、該発熱装置と該マイナスイオン発生装置によりマイナスイオンを帯びた熱風を形成し、さらに空気噴出口ガードより熱風を吹き出すように構成し、
さらに、上記外ケース内に電源スイッチ及び接触スイッチ制御装置を設置して、該電源スイッチ及び該接触スイッチ制御装置は該回路制御装置と接続し、該電源スイッチにより冷風／熱風ドライヤーはオンとオフを制御され、該接触スイッチ制御装置により冷風／熱風ドライヤーは温度及び風量を切り換えることを特徴とする接触スイッチ制御式マイナスイオン冷風／熱風ドライヤー。
【請求項２】
前記接触スイッチ制御装置は、さらに接触スイッチ制御軟質板及び複数の接触スイッチ制御パネルを備えることを特徴とする請求項１記載の接触スイッチ制御式マイナスイオン冷風／熱風ドライヤー。
【請求項３】
前記接触スイッチ制御装置は、さらにLED装置を備えることを特徴とする請求項２記載の接触スイッチ制御式マイナスイオン冷風／熱風ドライヤー。
【請求項４】
前記LED装置は、ランプカバー及び２個のLEDランプにより構成することを特徴とする請求項３記載の接触スイッチ制御式マイナスイオン冷風／熱風ドライヤー。
【請求項５】
前記発熱装置は、発熱エレメントを雲母片上に巻き付けて構成し、該雲母片上には回路に接続する電線、及びマイナスイオンを発生する針尖状金属片を設置したことを特徴とする請求項１記載の接触スイッチ制御式マイナスイオン冷風／熱風ドライヤー。
【考案の詳細な説明】
【技術分野】
【０００１】
本考案は、接触スイッチ制御式マイナスイオン冷風／熱風ドライヤーに関する。特に、冷風／熱風ドライヤーは、接触スイッチ制御装置により多種の温度と風量の異なる組合せにより、マイナスイオンを備える熱空気を発生し、これにより毛髮の水分を保持し、静電気を防止する接触スイッチ制御式マイナスイオン冷風／熱風ドライヤーに係る。
【背景技術】
【０００２】
テクノロジーの進歩に従い、各種の電気製品が現代生活の必需品となっており、人が電気製品に対して求める機能性と利便性もそれに従い高くなっている。このため、機能が新しく操作が便利な製品はますます増えている。
公知のドライヤーは、簡単な三段階の機械式スイッチ制御ドライヤーの電源により、異なる段位に設定されるレジスターを用いて、発熱エレメントの負荷及びモーターの回転を調製し、空気が発熱した発熱エレメントを通過すると、空気温は上昇し、さらに該熱空気は湿った頭髮に吹き付けられ、乾燥させる効果を達成する。
しかし、市場では多用途の製品が消費のトレンドになっている。このため、主要機能が頭髮を乾かすだけという公知ドライヤーに健康増進に役立つ機能を加え、さらに簡単な機械式スイッチを精巧にし、使用者にさらに快適かつ簡単な操作を提供可能とすることにより、これらの消費者のニーズに応えることができる。
上記に鑑み、冷風／熱風ドライヤーの機能に多様な効果を持たせ、消費者にさらに便利な操作使用を提供するため、本考案人は多年にわたる経験と弛まぬ研究開発を続けついに本考案を開発した。
【特許文献１】特許第３６２６１７３号公報
【特許文献２】特開２００４−２０８９３５号公報
【考案の開示】
【考案が解決しようとする課題】
【０００３】
本考案の主要な目的は接触スイッチ制御式マイナスイオン冷風／熱風ドライヤーを提供し、起動後は接触スイッチ制御装置に設置する接触スイッチ制御ボタンにより回路制御装置はモーター或いは発熱装置の出力パワーを切り換え、こうして使用者は簡単に冷風／熱風ドライヤーの風量と温度を切り換えることができるようする。
本考案の次なる目的は接触スイッチ制御式マイナスイオン冷風／熱風ドライヤーを提供し、マイナスイオン発生装置を利用し導電後にマイナスイオンを発射し、頭髮を乾かす過程において、頭髮水分が過度に失われることを防止し、頭髮上の正電荷を中和し靜電現象の発生を予防し、これにより髮質を柔軟とし整え易くする。
本考案は上記構造の問題点を解決した接触スイッチ制御式マイナスイオン冷風／熱風ドライヤーを提供するものである。
【課題を解決するための手段】
【０００４】
上記課題を解決するため、本考案は下記の接触スイッチ制御式マイナスイオン冷風／熱風ドライヤーを提供する。
接触スイッチ制御式マイナスイオン冷風／熱風ドライヤーを提供し、相互に対応する２個の半割中空ケース体により構成する外ケースと前ケースを結合して構成し、前後に空気噴出口ガードと空気吸入口ガードを設置し、該外ケース内には回路制御装置、発熱装置、モーター、ファン、マイナスイオン発生装置を配置し、
該回路制御装置の制御によりモーターはファンを駆動して回転し、空気を該空気吸入口ガードより該外ケース内に導入し、該発熱装置と該マイナスイオン発生装置によりマイナスイオンを帯びた熱風を形成し、この後さらに空気噴出口ガードより熱風を吹き出し、
実施時には、該接触スイッチ制御式マイナスイオン冷風／熱風ドライヤーはさらに電源スイッチ及び接触スイッチ制御装置を含み、しかも該電源スイッチ及び該接触スイッチ制御装置は該回路制御装置と接続し、該電源スイッチにより冷風／熱風ドライヤーはオンとオフを制御され、該接触スイッチ制御装置を制御し冷風／熱風ドライヤーは機能を切り換える接触スイッチ制御式マイナスイオン冷風／熱風ドライヤーを提供する。
【考案の効果】
【０００５】
上記のように、本考案は冷風／熱風ドライヤー側面に設置する多数組の接触スイッチ制御ボタンにより、使用者は異なる風量と温度の組合せを簡単に選択することができる。また毛髮を乾かす時に毛髮の水分を保つことが可能で、髮質を柔軟にし、つやのある状態とし、冷風／熱風ドライヤーの機能と効果を拡大することができる。
【考案を実施するための最良の形態】
【０００６】
図1に示すように、本考案冷風／熱風ドライヤーの実施例は外ケース1及び前ケース2からなる。
該外ケース1は、相互に対応する２個の半中空ケース体11、11'を結合して構成され、その前端には該前ケース2を嵌設する。
該前ケース2前方には空気噴出口ガード21とノズル22を設置し、該外ケース1後方には空気吸入口ガード12と空気吸入口カバー121を設置する。また、該外ケース1内には回路制御装置3、発熱装置4、モーター5、ファン51、マイナスイオン発生装置6を設置する。
該回路制御装置3は、電源スイッチ31及び接触スイッチ制御装置32に電気的に接続し、該接触スイッチ制御装置32は接触スイッチ制御軟質板321、３個の接触スイッチ制御ボタン322、LED装置33からなる。
該接触スイッチ制御軟質板321は、該回路制御装置3と電気的に接続する印刷回路板で、該外ケース1内に嵌設して固定する。該印刷回路板上には３個の接触スイッチ制御回路を配置して、冷風／熱風ドライヤーの風量と温度をそれぞれ制御する。該各接触スイッチ制御ボタン322は、外ケース1側面の押しボタン或いは接触スイッチボタンで、該各接触スイッチ制御回路の導電極上方に位置する（図示なし）。
該LED装置33は、ランプカバー331及び２個のLEDランプ332により構成し、該ランプカバー331は、アクリル或いはPS材質のプラスチックなどの光透過可能な非導電体材質により構成する。該２個のLEDランプ332はそれぞれ赤色光LEDランプ及び青色光LEDランプである。
該発熱装置4は、発熱エレメント41を雲母片42上に巻き付けて形成し、かつ該雲母片42上には該回路制御装置3に接続する電線、及びマイナスイオンを発生する針尖状金属片61を設置する（図2参照）。
【０００７】
使用時には、該回路制御装置3上に設置するスイッチ31を起動し、該回路制御装置3の制御により該モーター5は該ファン51を駆動して回転し、空気を該空気吸入口ガード12から該外ケース1内に導入する。さらに該発熱装置4、該マイナスイオン発生装置6、銅製の針尖状金属片61により、負電荷を帯びた空気中の酸素分子と微小水分子の結合によりマイナスイオンの熱風を形成し、最後に該空気噴出口ガード21から熱風を吹き出す。
使用者が冷風／熱風ドライヤーの温度或いは風量を切り換えようとする時には、特定の接触スイッチ制御ボタン322を選択し、これにより該各導電極は使用者が使用しようとする機能を感知し、続いて該接触スイッチ制御回路により信号を該回路制御装置3に伝達し、冷風／熱風ドライヤーのモーター5及び発熱装置4の出力パワーを制御する。また該各LEDランプ322を発光させるか否かを決定し、使用者は透明体からなるランプカバー331を通して表示されるLEDランプ信号により冷風／熱風ドライヤーの使用状態を知ることができる。
【０００８】
実施時には、冷風／熱風ドライヤー前ケース2の前端部分にセラミック装置（図示なし）を設置し、使用者は頭髮を乾かすと同時に、冷風／熱風ドライヤーの出風口前端に向かって遠赤外線を発し、遠赤外線は皮膚の深層に到達し、血液循環を促進し及び細胞を活性化する。
本考案は、人体頭髮の乾燥に応用する他、ペットの毛髮乾燥器などの異なる製品カテゴリ上に応用することもでき、製品の実用性と付加価値を拡大することができる。
よって、本考案は以下の長所を備える。
1.本考案は、冷風／熱風ドライヤー側面に設置する多数組の接触スイッチ制御ボタ  ンにより、多くの風量と温度の異なる組合せを達成し、公知の簡単な三段式冷風／  熱風ドライヤーに取って代わり、冷風／熱風ドライヤーの機能と効果を向上するこ  とができる。
2.本考案の冷風／熱風ドライヤーに使用する時、使用者は簡単に接触スイッチ制御  ボタンに触れることにより、風量或いは温度を選択可能で、またLEDランプカバー  により冷風／熱風ドライヤーの作動状態を知ることができ、使用者のニーズにきめ  細かく対応することができる。
3.本考案はマイナスイオン発生装置によりマイナスイオンを帯びた熱空気を発生し、  これにより使用者は毛髮を乾かす時に毛髮の水分を保つことが可能で、また静  電現象の発生を防止することもできる。
【図面の簡単な説明】
【０００９】
【図１】本考案実施例の接触制御式マイナスイオン冷風／熱風ドライヤーの立体分解図である。
【図２】図1実施例発熱装置の局部拡大外観図である。
【図３】図1実施例の立体外観図である。
【符号の説明】
【００１０】
1  外ケース
11、11'  ケース体
12  空気吸入口ガード
121  入風カバー
2  前ケース
21  空気噴出口ガード
22  ノズル
3  回路制御装置
31  電源スイッチ
32  接触スイッチ制御装置
321  接触スイッチ制御軟質板
322  接触スイッチ制御ボタン
33  LED装置
331  ランプカバー
332  LEDランプ
4  発熱装置
41発熱エレメント
42  雲母片
5モーター
51  ファン
6マイナスイオン発生装置
61  金属片
【図１】
0003131246.tif 000003
【図２】
0003131246.tif 000004
【図３】
0003131246.tif 000005